【手続補正書】
【提出日】平成16年10月12日(2004.10.12)
【手続補正１】
【補正対象書類名】明細書
【補正対象項目名】特許請求の範囲
【補正方法】変更
【補正の内容】
【特許請求の範囲】
【請求項１】
複数種類の識別情報の可変表示を行なった後、表示結果を導出可能な可変表示装置を有し、前記表示結果が予め定められた複数種類の特定表示態様のうちのいずれかとなったときに遊技者にとって有利な特定遊技状態に制御可能であるとともに、前記表示結果が前記複数種類の特定表示態様のうちの予め定められた特別表示態様となったときに前記表示結果が前記特定表示態様となりやすい特別遊技状態に制御可能となる遊技機であって、
遊技状態を前記特定遊技状態にするか否か決定する特定遊技状態決定手段と、
該特定遊技状態決定手段により遊技状態を前記特定遊技状態にすることが決定されたときに、前記可変表示装置の表示結果を前記複数種類の特定表示態様のうちいずれの特定表示態様にするかを決定する特定表示態様決定手段と、
該特定表示態様決定手段により決定された特定表示態様が前記特別表示態様であるか前記特別表示態様以外の前記特定表示態様である非特別表示態様であるかを判定する特定表示態様判定手段と、
前記可変表示装置における前記複数種類の識別情報の可変表示を制御する可変表示制御手段と、
前記特定遊技状態決定手段により遊技状態を前記特定遊技状態にすることが決定されているときに、一旦前記特定表示態様と異なる表示態様を表示する特定演出を実行するか否かを決定する演出決定手段と、を備え、
前記特定表示態様判定手段は、前記特別遊技状態中において、前記特定表示態様決定手段により決定された特定表示態様が前記特別表示態様であるか前記非特別表示態様であるかを判定する特別遊技状態中特定遊技状態判定手段を含み、
前記可変表示制御手段は、前記演出決定手段により前記特定演出を実行することが決定されたときに、当該特定演出を実行する特定演出制御手段を含み、
前記演出決定手段は、前記特別遊技状態中特定遊技状態判定手段によって、前記特定表示態様決定手段が決定した特定表示態様が前記非特別表示態様であることが判定されたとき、前記特別遊技状態とは異なりかつ前記特定遊技状態とも異なる通常遊技状態時に前記特定表示態様判定手段により前記非特別表示態様である旨の判定がなされたときに対して、前記特定演出制御手段による前記特定演出の実行を抑制する特定演出抑制手段を含むことを特徴とする、遊技機。
【請求項２】
前記演出決定手段は、前記特定表示態様判定手段により前記特別表示態様である旨の判定がなされたときは、前記特定表示態様判定手段により前記非特別表示態様である旨の判定がなされたときよりも高い確率で前記特定演出を実行する旨に決定することを特徴とする、請求項１に記載の遊技機。
【請求項３】
前記可変表示制御手段は、前記可変表示装置による前記複数の識別情報の可変表示結果として前記特定表示態様を導出するときに、当該特定表示態様と同じ特定表示態様または異なる特定表示態様を一旦表示した後、前記特定表示態様を導出表示する再可変表示を実行する再可変表示制御手段を含み、
該再可変表示制御手段は、前記再可変表示を実行するときに、一旦表示する表示態様として前記複数種類の特定表示態様のうちのいずれの特定表示態様を一旦表示するかを決定する一旦表示態様決定手段を含み、
前記演出決定手段は、前記再可変表示制御手段によって前記一旦表示態様決定手段が決定した特定表示態様を一旦表示する前に前記決定した特定表示態様と異なる表示態様を一時的に表示する一時表示特定演出を実行するか否かを決定する機能を含み、
前記一旦表示態様決定手段は、前記演出決定手段により前記一時表示特定演出を実行する旨の決定がなされているときには、前記特別表示態様に決定するよりも高い確率で前記非特別表示態様に決定することを特徴とする、請求項２に記載の遊技機。
【請求項４】
前記遊技機の遊技の進行を制御するとともに、前記可変表示装置の表示制御に関する指令情報としての表示制御コマンドを出力する遊技制御手段と、
該遊技制御手段とは別に設けられ、当該遊技制御手段からの前記表示制御コマンドを受けて前記可変表示装置における可変表示を制御する表示制御手段とを含み、
前記遊技制御手段は、前記演出決定手段を含むことを特徴とする、請求項１から３のいずれかに記載の遊技機。
【請求項５】
前記遊技機の遊技の進行を制御するとともに、前記可変表示装置の表示制御に関する指令情報としての表示制御コマンドを出力する遊技制御手段と、
該遊技制御手段とは別に設けられ、当該遊技制御手段からの前記表示制御コマンドを受けて前記可変表示装置における可変表示を制御する表示制御手段とを含み、
前記表示制御手段は、前記演出決定手段を含むことを特徴とする、請求項１から４のいずれかに記載の遊技機。
【請求項６】
前記特別遊技状態は、前記通常遊技状態に比べて前記特定遊技状態決定手段が前記特定遊技状態にする旨の決定を行なう確率が向上された確率向上状態であることを特徴とする、請求項１から５のいずれかに記載の遊技機。
【手続補正２】
【補正対象書類名】明細書
【補正対象項目名】０００１
【補正方法】変更
【補正の内容】
【０００１】
【発明の属する技術分野】
本発明は、パチンコ遊技機、コイン遊技機、スロットマシンなどで代表される遊技機に関する。詳しくは、複数種類の識別情報の可変表示を行なった後、表示結果を導出可能な可変表示装置を有し、前記表示結果が予め定められた複数種類の特定表示態様のうちのいずれかとなったときに遊技者にとって有利な特定遊技状態に制御可能であるとともに、前記表示結果が前記複数種類の特定表示態様のうちの予め定められた特別表示態様となったときに前記表示結果が前記特定表示態様となりやすい特別遊技状態に制御可能となる遊技機に関する。
【手続補正３】
【補正対象書類名】明細書
【補正対象項目名】０００８
【補正方法】変更
【補正の内容】
【０００８】
【課題を解決するための手段の具体例およびその効果】
課題を解決するための手段としての各構成要件に対応する実施の形態の記載内容を括弧書挿入して、以下に示す。
（１）  複数種類の識別情報の可変表示を行なった後、表示結果を導出可能な可変表示装置（特別図柄表示部９は、数字、数字以外の文字、図形、模様、キャラクタ等の複数種類の識別情報（特別識別情報）としての特別図柄を可変表示（更新表示，変動表示ともいう）可能であり）を有し、前記表示結果が予め定められた複数種類の特定表示態様のうちのいずれかとなったときに遊技者にとって有利な特定遊技状態に制御可能であるとともに（特別図柄表示部９での特別図柄の可変表示は、一定時間が経過したときに停止し、表示結果が導出表示される。停止時の図柄の組合せが特定の表示態様である大当り図柄の組合せ（たとえば、７７７等のぞろ目の特定の図柄の組合せ）となると、遊技者にとって有利な特定遊技状態である大当り遊技状態が発生し）、前記表示結果が前記複数種類の特定表示態様のうちの予め定められた特別表示態様となったときに前記表示結果が前記特定表示態様となりやすい特別遊技状態に制御可能となる（可変表示装置の表示結果が特定の表示態様のうちの特別の表示態様となった場合には、特別遊技状態として、特定の表示態様のうちの特別の表示態様以外の表示態様となった場合と比べて、付与される価値が大きくなる付加価値が付与される。このような場合には、予め定められた確率変動終了条件（たとえば次の大当り状態が発生すること）が成立するまで、特別遊技状態としての確率変動状態（以下、「確変」という。）という遊技者にとってさらに有利な状態となる。）遊技機であって、
遊技状態を前記特定遊技状態にするか否か決定する特定遊技状態決定手段（大当りとするかはずれとするかの決定は、大当り決定用のランダムカウンタのカウント値を用いて行なわれる。…始動口スイッチ１７により始動入賞が検出されると、それに応じてこのランダムカウンタのカウント値が抽出され、その抽出値が、予め定められた大当り判定値と一致するか否かの判断がなされる。抽出されたランダムカウンタの値と大当り判定値とが一致した場合は、大当りを発生させることが決定され、大当り状態の制御が行なわれる。）と、
該特定遊技状態決定手段により遊技状態を前記特定遊技状態にすることが決定されたときに、前記可変表示装置の表示結果を前記複数種類の特定表示態様のうちいずれの特定表示態様にするかを決定する特定表示態様決定手段（大当りとする決定がされた場合には、特別図柄の変動開始時等の所定のタイミングで左図柄決定用のランダムカウンタから抽出されたカウンタの値と一致する数値データに対応する図柄が左，中，右の各停止図柄として決定される。）と、
該特定表示態様決定手段により決定された特定表示態様が前記特別表示態様であるか前記特別表示態様以外の前記特定表示態様である非特別表示態様であるかを判定する特定表示態様判定手段（図５のＳ４、Ｓ７：Ｓ４に進み、事前決定されている大当りが確率変動図柄の組合せによる大当りであるか否かが判断される。：Ｓ７に進み、事前決定されている大当りが確率変動図柄の組合せによる大当りであるか否かが判断される。）と、
前記可変表示装置における前記複数種類の識別情報の可変表示を制御する可変表示制御手段（前記可変表示装置における可変表示を制御する表示制御手段（表示制御用マイクロコンピュータ８００）：特別図柄を可変表示する特別図柄表示部９…の表示制御は、遊技制御基板３１とは別に設けられた表示制御基板８０に搭載されている表示制御手段である表示制御用マイクロコンピュータ８００によって行なわれる。・・・遊技制御基板３１から表示制御基板８０には、可変表示装置８の表示制御に関する指令情報としての表示制御コマンド等の情報が伝送される。）と、
前記特定遊技状態決定手段により遊技状態を前記特定遊技状態にすることが決定されているときに、一旦前記特定表示態様と異なる表示態様を表示する特定演出を実行するか否かを決定する演出決定手段（図４の変動パターン選択テーブル、図５の変動パターン選択決定処理、図６：特別停止表示は、可変表示の過程において特定表示態様を導出するときに、一旦特定表示態様と異なる表示態様を導出した後、特定表示態様を導出し直す特定の演出である。：Ｓ１により大当りとなることが決定されていると判断された場合は、…Ｓ５に進み、前述したテーブルＡを用いて変動パターンを選択する処理がなされる。…Ｓ６に進み、前述したテーブルＢを用いて変動パターンを選択する処理がなされる。：Ｓ９に進み、前述したテーブルＣを用いて変動パターンを選択する処理がなされる。…Ｓ９に進み、前述したテーブルＤを用いて変動パターンを選択する処理がなされる。）と、を備え、
前記特定表示態様判定手段は、前記特別遊技状態中において、前記特定表示態様決定手段により決定された特定表示態様が前記特別表示態様であるか前記非特別表示態様であるかを判定する特別遊技状態中特定遊技状態判定手段（図５のＳ１、Ｓ３：Ｓ１により大当りとなることが決定されていると判断された場合は、Ｓ３に進み、事前決定されている大当りが確率変動中に決定されたものであるか否かが判断される。Ｓ３により確率変動中の決定であると判断された場合は、Ｓ４に進み、事前決定されている大当りが確率変動図柄の組合せによる大当りであるか否かが判断される。）を含み、
前記可変表示制御手段は、前記演出決定手段により前記特定演出を実行することが決定されたときに、当該特定演出を実行する特定演出制御手段（特別図柄の可変表示においては、リーチ状態となるか否かの段階・・・滑り停止表示（図柄が見かけ上、通常停止する位置を通り越して余分に変動させて滑ったようなに見せて停止する表示）と、戻り停止表示（図柄が見かけ上、通常停止する位置を通り越した後、逆戻りして停止する表示）とが行なわれる場合がある。このような停止表示パターンは、・・・可変表示の過程において特定表示態様を導出するときに、一旦特定表示態様と異なる表示態様を導出した後、特定表示態様を導出し直す特定の演出である。）を含み、
前記演出決定手段は、前記特別遊技状態中特定遊技状態判定手段によって、前記特定表示態様決定手段が決定した特定表示態様が前記非特別表示態様であることが判定されたとき、前記特別遊技状態とは異なりかつ前記特定遊技状態とも異なる通常遊技状態時に前記特定表示態様判定手段により前記非特別表示態様である旨の判定がなされたときに対して、前記特定演出制御手段による前記特定演出の実行を抑制する（図４：テーブルＢは、確率変動状態において非確率変動図柄の組合せでの大当りが決定された場合に用いられる。・・・テーブルＤは、非確率変動状態において非確率変動図柄の組合せでの大当りが決定された場合に用いられる。：確率変動状態のような特別遊技状態において確定する大当り図柄の表示結果が確率変動図柄の組合せ以外の非確率変動図柄の組合せとなる場合に、・・・たとえば、図４および図５に示されるように、特別遊技状態において確定する大当り図柄の表示結果が非確率変動図柄の組合せとなる場合に、特別停止表示をする演出の実行が抑制される）特定演出抑制手段を含むことを特徴とする。
【手続補正４】
【補正対象書類名】明細書
【補正対象項目名】０００９
【補正方法】変更
【補正の内容】
【０００９】
このような構成によれば、特別遊技状態において、表示結果が特定表示態様のうちの非特別表示態様となるときに、一旦前記特定表示態様と異なる表示態様を表示する特定演出の実行が抑制されるので、このような演出により遊技者が落胆することが起こりにくくなり、可変表示に関する特定演出により遊技者が遊技に対する期待感を損ないにくくなるようにすることができ、遊技の興趣を向上させることができる。
【手続補正５】
【補正対象書類名】明細書
【補正対象項目名】００１０
【補正方法】変更
【補正の内容】
【００１０】
（２）  前記演出決定手段は、前記特定表示態様判定手段により前記特別表示態様である旨の判定がなされたときは、前記特定表示態様判定手段により前記非特別表示態様である旨の判定がなされたときよりも高い確率で前記特定演出を実行する旨に決定する（遊技制御用マイクロコンピュータ５３では、確定大当り図柄が非確率変動図柄となる場合に、可能な限り、すべり停止表示または戻り停止表示を伴う変動パターンが選択されにくいようにする。）ことを特徴とする。
【手続補正６】
【補正対象書類名】明細書
【補正対象項目名】００１１
【補正方法】変更
【補正の内容】
【００１１】
このような構成によれば、特定演出が実行された場合には表示結果として特別表示態様が導出表示されやすくなる。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
（３） 前記可変表示制御手段は、前記可変表示装置による前記複数の識別情報の可変表示結果として前記特定表示態様を導出するときに、当該特定表示態様と同じ特定表示態様または異なる特定表示態様を一旦表示した後、前記特定表示態様を導出表示する再可変表示を実行する再可変表示制御手段（このパチンコ遊技機１においては、特別図柄の表示結果が大当りとなることが事前決定された場合には、特別図柄を一旦大当り図柄の組合せで仮に停止した後、確率変動状態を発生させるか否かを抽選により決定するように見せる演出としての再抽選表示が行なわれる。つまり、再抽選表示は、…可変表示の過程において特定表示態様（大当り図柄の組合せ）を導出した後に、再度表示結果として当該特定表示態様（大当り図柄の組合せ）と同じ、または異なる特定表示態様を導出する再可変表示である。）を含み、
該再可変表示制御手段は、前記再可変表示を実行するときに、一旦表示する表示態様として前記複数種類の特定表示態様のうちのいずれの特定表示態様を一旦表示するかを決定する一旦表示態様決定手段を含み（表示制御用マイクロコンピュータ８００は、遊技制御用マイクロコンピュータ５３からの予定停止図柄を示す表示制御コマンドの内容により、最終的な大当りの図柄である再抽選の表示結果となる大当り図柄（以下、確定大当り図柄という）を再抽選前の変動表示中に認識している。そして、表示制御用マイクロコンピュータ８００では、大当りとなる場合において、再抽選開始前に一旦表示する大当り図柄（再抽選前大当り図柄という）を事前にランダムに決定する。たとえば、再抽選前大当り図柄は、遊技制御に用いられる各種ランダムカウンタと同様の機能を有するランダムカウンタを用い、そのランダムカウンタから所定のタイミングでカウント値を抽出し、前述した大当り図柄決定用のランダムカウンタと同様の手順で予め定められた大当り図柄およびカウント値の関係に基づいて、抽出値から決定される。）、
前記演出決定手段は、前記再可変表示制御手段によって前記一旦表示態様決定手段が決定した特定表示態様を一旦表示する前に前記決定した特定表示態様と異なる表示態様を一時的に表示する一時表示特定演出を実行するか否かを決定する機能を含み（図６：（ｃ）には、リーチ状態において特別停止表示が実行された後に非確率変動図柄による大当り図柄の組合せ（６６６）で一時停止表示され、その後、再抽選表示が行なわれて最終的な表示結果が確率変動図柄による大当り図柄の組合せ（７７７）となって確定した例が示されている。：（ｄ）には、リーチ状態において特別停止表示が実行されずに（特別停止表示以外の通常停止表示により）非確率変動図柄による大当り図柄の組合せ（６６６）で一時停止表示され、その後、再抽選表示が行なわれて最終的な表示結果が確率変動図柄による大当り図柄の組合せ（７７７）となって確定した例が示されている。）、
前記一旦表示態様決定手段は、前記演出決定手段により前記一時表示特定演出を実行する旨の決定がなされているときには、前記特別表示態様に決定するよりも高い確率で前記非特別表示態様に決定する（表示制御用マイクロコンピュータ８００では、大当りとなる場合に、再抽選前大当り図柄を決定するが、遊技制御用マイクロコンピュータ５３から受けた表示制御コマンドにより、確定大当り図柄となる予定停止図柄が指定され、かつ、特別停止表示を伴う変動パターンが指定された場合には、再抽選前大当り図柄として非確率変動図柄の方が確率変動図柄よりも選択決定されやすいような設定とする。）。
【手続補正１２】
【補正対象書類名】明細書
【補正対象項目名】００１７
【補正方法】変更
【補正の内容】
【００１７】
このような構成によれば、特定演出の実行後の識別情報の可変表示中において再可変表示を実行するときの一旦表示する表示態様として、特別表示態様よりも高い確率で非特別表示態様が表示される。
【手続補正１３】
【補正対象書類名】明細書
【補正対象項目名】００１８
【補正方法】変更
【補正の内容】
【００１８】
（４） 前記遊技機の遊技の進行を制御するとともに、前記可変表示装置の表示制御に関する指令情報としての表示制御コマンドを出力する遊技制御手段（遊技制御基板３１から表示制御基板８０には、可変表示装置８の表示制御に関する指令情報としての表示制御コマンド等の情報が伝送される。）と、
該遊技制御手段とは別に設けられ、当該遊技制御手段からの前記表示制御コマンドを受けて前記可変表示装置における可変表示を制御する表示制御手段（表示制御用マイクロコンピュータ８００）とを含み、
前記遊技制御手段は、前記演出決定手段を含む。
【手続補正１４】
【補正対象書類名】明細書
【補正対象項目名】００１９
【補正方法】変更
【補正の内容】
【００１９】
このような構成によれば、遊技機の遊技の進行を制御する遊技制御手段において、特定演出の実行の決定と、その特定演出の実行の抑制とが行なわれるので、遊技状態と特定演出との間に不整合が起こりにくいようにすることができる。
【手続補正１５】
【補正対象書類名】明細書
【補正対象項目名】００２０
【補正方法】変更
【補正の内容】
【００２０】
（５） 前記遊技機の遊技の進行を制御するとともに、前記可変表示装置の表示制御に関する指令情報としての表示制御コマンドを出力する遊技制御手段（遊技制御基板３１から表示制御基板８０には、可変表示装置８の表示制御に関する指令情報としての表示制御コマンド等の情報が伝送される。）と、
該遊技制御手段とは別に設けられ、当該遊技制御手段からの前記表示制御コマンドを受けて前記可変表示装置における可変表示を制御する表示制御手段（表示制御用マイクロコンピュータ８００）とを含み、
前記表示制御手段は、前記演出決定手段を含む（第４実施形態の場合には、前述した変動パターン選択テーブルのデータ（図４参照）を表示制御用マイクロコンピュータ８００の側で記憶しておき、前述した変動パターン選択決定処理を表示制御用マイクロコンピュータ８００の側で実行して変動パターンを選択決定し、変動パターンに関する表示制御を行なう。）。
【手続補正１６】
【補正対象書類名】明細書
【補正対象項目名】００２１
【補正方法】変更
【補正の内容】
【００２１】
このような構成によれば、特定演出の実行の決定と、その特定演出の実行の抑制とが表示制御手段により行なわれるので、遊技制御手段側の制御負担を軽減することができる。
【手続補正１７】
【補正対象書類名】明細書
【補正対象項目名】００２２
【補正方法】変更
【補正の内容】
【００２２】
（６）  前記特別遊技状態は、前記通常遊技状態に比べて前記特定遊技状態決定手段が前記特定遊技状態にする旨の決定を行なう確率が向上された確率向上状態（確率変動状態以外の通常の確率状態においては、大当り判定値がたとえば１つの数値に設定される。確率変動状態においては、大当り判定値が複数の数値に設定されることにより、確率変動状態の場合には大当りの発生確率が確率が向上する）である。
【手続補正１８】
【補正対象書類名】明細書
【補正対象項目名】００２３
【補正方法】変更
【補正の内容】
【００２３】
このような構成によれば、可変表示装置の表示結果が複数種類の特定表示態様のうちの予め定められた特別表示態様となったときに、通常遊技状態に比べて特定遊技状態決定手段が特定遊技状態にする旨の決定を行なう確率が向上された確率向上状態となるため、特定遊技状態の発生しやすさの維持という観点で、遊技者が遊技に対する期待感を損ないにくくなるようにすることができ、遊技の興趣を向上させることができる。